(57)【要約】      （修正有）【課題】デザインの変化を楽しむことができる縫製品を提供する。【解決手段】上下に重合された上側・下側布地２と、上側・下側布地２間に挟み込まれた中入れ材と、横断面が略Ｕ形状となるように、折り曲げられて、その内部に、上側・下側布地２及び中入材の外縁部が挿入されると共に、これらと縫合された縁取用布地４を有する。下側布地の外面に印刷部７，８がインキにより印刷され、インキが、環境条件の変化により発色、変色又は発光すると共に、環境条件が元に戻れば、元の状態に戻る機能性インキとされている。【選択図】図２
0003175821.tif 000002
【実用新案登録請求の範囲】
【請求項１】
布地が縫製された縫製品において、
布地に印刷部がインキにより印刷され、
インキが、
環境条件の変化により発色、変色又は発光すると共に、環境条件が元に戻れば、元    の状態に戻る機能性インキ
とされた縫製品。
【請求項２】
機能性インキが、示温インキ、紫外線発色インキ及び蓄光インキの内から１つ以上選択された請求項１記載の縫製品。
【請求項３】
印刷部が、布地の全面にわたって、べた塗りで印刷された請求項１又は２記載の縫製品。
【請求項４】
縫製品が人間用又はペット用のマットとされ、
Ａ．上下に重合された上側・下側布地と、
Ｂ．上側・下側布地間に挟み込まれた中入れ材と、
Ｃ．横断面が略Ｕ形状となるように、折り曲げられて、その内部に、上側・下側布地及    び中入材の外縁部が挿入されると共に、これらと縫合された縁取用布地
を有し、
上側布地及び／又は下側布地の外面に印刷部が印刷された請求項１又は２に記載の縫製品。
【請求項５】
印刷部が、上側布地及び／又は下側布地の外面に、全面にわたって、べた塗りで印刷された請求項４記載の縫製品。
【請求項６】
縫製品が、人間用又はペット用の被服又は寝具とされた請求項１〜３の何れかに記載の縫製品。
【考案の詳細な説明】
【技術分野】
【０００１】
本考案は、人間用又はペット用の被服、寝具、その他の縫製品に関する。
【背景技術】
【０００２】
例えば、犬や猫等のペットが横臥するためのペット用マットとして、上下の布地間に中入れ綿が装入されたものがある。ところで、上記従来においては、上側及び／又は下側の布地の外面には、図柄等が通常のインキで印刷されていた。
【０００３】
このため、上記従来においては、マットの図柄等が一切変化せず、デザイン的には全く変化がなかった。しかし、ペット愛好家は、ペットの身の回り用品に種々の変化を求めたいのが一般的である。この変化を求めるために、ペット愛好家は、複数種類のマットを購入して、これらを取り替えながら使用していた。然しながら、このように、デザイン的な変化を求めるためだけに、複数種類のマットを購入したりすることは、無駄であり、この点に関する改善が要望されていたのが実情である。
【考案の概要】
【考案が解決しようとする課題】
【０００４】
本考案は、デザインの変化を楽しむことができる縫製品を提供することを目的とする。
【課題を解決するための手段】
【０００５】
上記目的を達成するために、本考案の特徴とするところは、布地が縫製された縫製品において、布地に印刷部がインキにより印刷され、インキが、環境条件の変化により発色、変色又は発光すると共に、環境条件が元に戻れば、元の状態に戻る機能性インキとされた点にある。
尚、機能性インキが、示温インキ、紫外線発色インキ及び蓄光インキの内から１つ以上選択されることもある。
又、印刷部が、布地の全面にわたって、べた塗りで印刷されることもある。
更に、縫製品が人間用又はペット用のマットとされ、Ａ．上下に重合された上側・下側布地と、Ｂ．上側・下側布地間に挟み込まれた中入れ材と、Ｃ．横断面が略Ｕ形状となるように、折り曲げられて、その内部に、上側・下側布地及び中入材の外縁部が挿入されると共に、これらと縫合された縁取用布地を有し、上側布地及び／又は下側布地の外面に印刷部が印刷されることもある。
又、印刷部が、上側布地及び／又は下側布地の外面に、全面にわたって、べた塗りで印刷されることもある。
更に、縫製品が、人間用又はペット用の被服又は寝具とされることもある。
【考案の効果】
【０００６】
本考案によれば、デザインの変化を楽しむことができる。従って、デザイン的な変化を求めるためだけに、複数種類の縫製品を購入したりする必要がない。
【図面の簡単な説明】
【０００７】
【図１】本考案の実施の形態の第１例を示す斜視図である。
【図２】図１の下面側の斜視図である。
【図３】図１のＡ−Ａ線矢視一部断面図である。
【図４】図２の一部拡大図である。
【図５】本考案の実施の形態の第２例を示す斜視図である。
【図６】本考案の実施の形態の第３例を示す斜視図である。
【図７】本考案の実施の形態の第４例を示す斜視図である。
【図８】図７のＴシャツの正面図である。
【図９】本考案の実施の形態の第５例を示す斜視図である。
【考案を実施するための形態】
【０００８】
以下、本考案をペット用マットに適用した実施の形態の第１例を、図１〜図４の図面に基づき説明すると、マットは略長方形状とされると共に、各隅部が湾曲突状とされて、綿等の自然繊維製又はナイロン等の化学繊維製とされている。マットは、上側・下側布地（生地）１，２と、中入れ材（芯材）３と、縁取用布地（生地）４を有する。
【０００９】
上側・下側布地１，２は上下に重合されている。図３に示すように、上側布地１の上面側には、起毛処理が施されて、多数の起毛６が形成されている。尚、図３では、便宜上、起毛６を少なく描いているが、実際には、多数形成されている。図４にも示すように、下側布地２の下面（外面）には、全面にわたって、機能性インキにより、円形状とされた多数の円形印刷部７と、円形印刷部７の間に配置され且つハート状とされたハート形印刷部８が、（略）等間隔で印刷されている。ハート形印刷部８については、隣接する４個のハート形印刷部８が正方形９を形成していると認識できるように、これら４個のハート形印刷部８が正方形９の角に配置されている。尚、正方形の２本の対角線１０，１１が、マットの長手方向と幅方向となるようにされている。尚、上側布地１の上面（外面）を起毛処理せず、この上面にも、印刷部を印刷したり、或いは、上面のみに印刷部を印刷することもある。
【００１０】
機能性インキは、環境条件の変化により、発色、変色又は発光すると共に、環境条件が元に戻れば、元の状態に戻るもので、本例では、例えば、機能性インキとしては、示温インキ、紫外線発色インキ及び蓄光インキの内から１つ以上選択されて、使用されている。
【００１１】
示温インキは、特定の温度帯で可逆的に発色又は変色を繰り返すインキで、例えば、印刷部７，８を触ると、体温により加温されて、印刷部７，８が発色又は変色したり、冷えると、印刷部７，８の色が消えて（復色して）、印刷部７，８が無色、無色に近い色又は白色となるものである。示温インキは一定の温度で発色又は変色するような物質、即ち、感温発色（変色）物質（示温材料、示温顔料）を配合したインキで、グラビア、スクリーン、フレキソ、オフセット等で印刷される。このインキに使用される示温材料としては、温度変化により明確且つ鋭敏に発色することが必要で、その発色原理は、熱分解（例：金属塩）、結晶転移（例：金属錯塩）、分子配向性の変化（例：結晶）、異分子間の電子授受（例：ラクトン型、ラクタム型などの染料とフェノール化合物との電子授受）によって説明される。示温インキを大別すると、温度が元へもどれば色が消える（復色する）可逆性インキと、温度が元へ戻っても色が消えない（復色しない）不可逆性インキがあるが、本考案では、可逆性インキを使用すると共に、ペット及び／又は人間の体温により発色又は変色する示温インキを使用している。
【００１２】
紫外線発色インキは、一般の照明のもとでは無色、無色に近い色又は白色にしか見えないが，太陽光やブラックライトなどの紫外線を照射すると、鮮明な蛍光色を発する無機蛍光体を配合したインキで、緑、黄、橙、赤、ピンク、紫、藍、白等の蛍光色を発色する。発色材としては無機蛍光体が使用され、これを用途に応じた適性バインダー中に分散してインキ化する。
【００１３】
蓄光インキは、可視光線等のエネルギーを吸収蓄積し、その蓄積エネルギーを暫時放出して発光するインキで、例えば、消灯後の暗闇で、緑、赤、青等を発光する。残光輝度を高めるためには、蓄光顔料の添加量を樹脂分に対し１：１程度に多くすると共に、厚膜になるように、１００〜１８０メッシュの版で印刷する。
【００１４】
中入れ材３としては、例えば、薄い中入れ綿（中綿）等が使用され、上側・下側布地１，２間に挟み込まれている。
【００１５】
図３に示すように、縁取用布地４は、横断面が略Ｕ形状となるように、折り曲げられて、その内部に、上側・下側布地１、２及び中入れ材３の外縁部が挿入されると共に、これらがミシン等で糸１３により縫合（縫着、縫製）されることで一体化される。
【００１６】
上記構成例によれば、通常は、図１に示すように、マットを、起毛した面が上側となるように、上側布地１を上側として、床等に敷き、その上に、ペット、例えば、犬を横臥させる。
【００１７】
又、デザイン的な変化を楽しみたい場合には、図２に示すように、機能性インキにより印刷した円形印刷部７及びハート形印刷部８が上側となるように、マットを裏返す。即ち、マットを、下側布地２を上側として、床等に敷き、その上に、犬を横臥させる。
【００１８】
この場合において、機能性インキが示温インキであると、犬が横臥した部分における印刷部７，８のみが発色又は変色し、他の印刷部７，８は発色又は変色しない。そして、犬が立ち上がると、発色又は変色した印刷部７，８が見えるが、犬の横臥状態により、発色又は変色する印刷部７，８の数、場所が変化するので、デザイン的な変化を楽しむことができる。
【００１９】
又、犬が下側布地２上に横臥した場合だけでなく、犬が、マットの下側布地２上を歩き回った際にも、犬の足が乗った印刷部７，８が発色又は変色すると共に、これら発色又は変色した印刷部７，８から足が離れて、暫くすると、これら印刷部７，８が元の状態に戻るので、興味深いデザインを見ることができる。
【００２０】
更に、機能性インキが紫外線発色インキの場合には、このマットを戸外に持ち出して、マットに太陽光を照射することにより、マットの印刷部７，８を発色又は変色させることができて、デザイン的な変化を楽しむことができる。
【００２１】
又、機能性インキが蓄光インキの場合には、消灯後の暗闇等で、マットの印刷部７，８が発光するので、この場合にも、デザイン的な変化を楽しむことができる。
【００２２】
図５は本考案の実施の形態の第２例を示すもので、機能性インキにより、下側布地２の下面（外面）には、全面にわたって、印刷部１５が，べた塗り（隙間のない状態）で印刷されている。尚、上側布地の上面（外面）を起毛処理せず、この上面にも、全面にわたって、べた塗りの印刷部を印刷したり、或いは、上面のみに、全面にわたって、べた塗りの印刷部を印刷することもある。
【００２３】
上記構成例によれば、第１例と同様に、環境条件の変化により発色、変色又は発光すると共に、環境条件が元に戻れば、元の状態に戻るので、デザイン的な変化を楽しむことができる。
【００２４】
図６は本考案の実施の形態の第３例を示すもので、上記第１例のマットから縁取用布地（生地）を無くし、マットを、上側・下側布地（生地）１，２と、中入れ材（芯材）３から構成している。上記第２例と同様に、下側布地２の下面（外面）には、機能性インキにより、全面にわたって、印刷部１５が，べた塗りで印刷されている。尚、本例でも、上記第２例と同様に、上側布地の上面（外面）を起毛処理せず、この上面にも、全面にわたって、べた塗りの印刷部を印刷したり、或いは、上面のみに、全面にわたって、べた塗りの印刷部を印刷することもある。
【００２５】
図７及び図８は本考案を犬用Ｔシャツに適用した実施の形態の第４例を示すもので、犬用Ｔシャツは、人間用のＴシャツと略同様であるが、その胸部に、犬の前肢を通すための穴１５が一対形成されている。そして、Ｔシャツ全面に、上記第１例と同様に、円形印刷部７及びハート形印刷部８が機能性インキで印刷されている。
【００２６】
図９は本考案を人間用の敷布団に適用した実施の形態の第５例を示すもので、その上面（及び下面）の全面にわたって、上記第１例と同様に、円形印刷部７及びハート形印刷部８が機能性インキで印刷されている。
【００２７】
尚、実施の形態の第４例及び第５例では、第１例と同様に、円形印刷部及びハート形印刷部を機能性インキで印刷したが、第２例や第３例と同様に、べた塗りの印刷部を、布地の全面にわたって、機能性インキで印刷することもある。又、上記実施の形態では、機能性インキとして、示温インキ、紫外線発色インキ、蓄光インキを使用したが、それ以外の機能性インキを使用してもよい。又、上記実施の形態では、上記３つのインキの内から１つを選択したが、複数を選択してもよく、このようにすれば、更に、デザイン的な変化を楽しむことができる。尚、本考案を、リバーシブルタイプの被服に適用し、その表側及び／又は裏側に、実施の形態のように、印刷部を機能性インキにより印刷してもよい。又、上記実施の形態は、本考案を、犬用マット、犬用Ｔシャツ、人間用敷布団に適用したものであるが、本考案は、その他の人間用、ペット用の被服、寝具、それ以外の縫製品に適用可能である。
【産業上の利用可能性】
【００２８】
本考案は、人間用又はペット用の被服、寝具、それ以外の縫製品に適用できる。
【符号の説明】
【００２９】
１，２  上側・下側布地
３  中入れ材
４  縁取用布地
７  円形印刷部
８  ハート形印刷部
９  正方形
１０，１１  対角線
１５  印刷部
【図１】
0003175821.tif 000003
【図２】
0003175821.tif 000004
【図３】
0003175821.tif 000005
【図４】
0003175821.tif 000006
【図５】
0003175821.tif 000007
【図６】
0003175821.tif 000008
【図７】
0003175821.tif 000009
【図８】
0003175821.tif 000010
【図９】
0003175821.tif 000011